(57)【特許請求の範囲】
【請求項１】
指針と、
前記指針を駆動する指針駆動手段と、
前記指針駆動手段の動作を制御する制御手段と、
所定の操作が可能な外部操作部材と、
を備え、
前記指針によって、第１の情報と、当該第１の情報とは異なる第２の情報と、を表示する指針式表示装置であって、
前記第１の情報と前記第２の情報とを連続して表示する第１の表示状態と、前記第２の情報を表示せずに、前記第１の情報を表示する第２の表示状態と、を有し、
前記第１の表示状態では、前記外部操作部材による前記所定の操作がおこなわれた場合に、前記第１の情報を表示する運針形態と前記第２の情報を表示する運針形態とが互いに異なるように、前記制御手段が前記指針駆動手段を制御し、
前記第２の表示状態では、前記外部操作部材による前記所定の操作がおこなわれた場合に、前記第１の情報を表示する運針形態で前記指針を駆動するように、前記制御手段が前記指針駆動手段を制御し、
前記制御手段は、前記外部操作部材による前記所定の操作がおこなわれた場合に、所定の条件を満たしているか否かを判断するとともに、
前記所定の条件を満たしている場合は、前記第２の表示状態となるように前記指針駆動手段を制御し、
前記所定の条件を満たしていない場合は、前記第１の表示状態となるように前記指針駆動手段を制御する
ことを特徴とする指針式表示装置。
【請求項２】
前記第１の表示状態では、前記第２の情報を先に表示し、前記第１の情報を前記第２の情報の後に表示する
ことを特徴とする請求項１に記載の指針式表示装置。
【請求項３】
前記第１の表示状態では、前記第１の情報を先に表示し、前記第２の情報を前記第１の情報の後に表示する
ことを特徴とする請求項１に記載の指針式表示装置。
【請求項４】
前記第１の表示状態では、
前記第１の情報を表示するために前記指針を所定位置まで駆動する運針方向と、前記第２の情報を表示するために前記指針を所定位置まで駆動する運針方向と、異なる運針方向となるようにすることによって、
前記第１の情報を表示する運針形態と前記第２の情報を表示する運針形態とが互いに異なるように、前記制御手段が前記指針駆動手段を制御する
ことを特徴とする請求項１〜３のいずれか一つに記載の指針式表示装置。
【請求項５】
前記第１の情報を表示するときの前記指針の運針方向が正転であり、前記第２の情報を表示するときの前記指針の運針方向が逆転である
ことを特徴とする請求項４に記載の指針式表示装置。
【請求項６】
前記第１の表示状態では、前記指針を所定位置まで駆動した後に第１の時間だけ当該指針を停止させることによって前記第１の情報を表示するとともに、前記指針を所定の位置まで駆動した後に前記第１の時間よりも長い第２の時間だけ当該指針を停止させることによって前記第２の情報を表示することで、前記第１の情報を表示する運針形態と前記第２の情報を表示する運針形態とが互いに異なるように、前記制御手段が前記指針駆動手段を制御する
ことを特徴とする請求項１〜５のいずれか一つに記載の指針式表示装置。
【請求項７】
前記第１の表示状態では、前記第１の情報を表示するために前記指針を所定位置まで駆動する速度と、前記第２の情報を表示するために前記指針を所定位置まで駆動する速度と、異なる速度となるようにすることによって、前記第１の情報を表示する運針形態と前記第２の情報を表示する運針形態とが互いに異なるように、前記制御手段が前記指針駆動手段を制御する
ことを特徴とする請求項１〜６のいずれか一つに記載の指針式表示装置。
【請求項８】
前記第１の情報と前記第２の情報は、前記指針を駆動して所定位置に停止させることによって表示される情報であり、前記第１の情報を表示するときの前記所定位置と前記第２の情報を表示するときの前記所定位置とが同じ位置であり、
前記第１の表示状態では、前記第１の情報を表示する場合と、前記第２の情報を表示する場合とで、前記指針が前記所定位置に駆動されるまでの運針形態が互いに異なるように、前記制御手段が前記指針駆動手段を制御する
ことを特徴とする請求項１〜６のいずれか一つに記載の指針式表示装置。
【請求項９】
前記指針駆動手段および前記制御手段に電力を供給する電源と、
前記電源の電圧値を測定する電圧測定手段と、
を備え、
前記制御手段は、前記所定の条件を満たしているか否かの判断を、前記電圧測定手段によって測定された前記電源の電圧値に基づいておこなう
ことを特徴とする請求項１に記載の指針式表示装置。
【請求項１０】
時刻を計時する計時手段を備え、
前記制御手段は、前記計時手段によって計時される時刻に基づいて、前記指針駆動手段を制御して前記指針により時刻を表示する時刻表示状態を維持するとともに、
前記時刻表示状態において、前記外部操作部材による前記所定の操作がおこなわれた場合に、前記第１の表示状態または前記第２の表示状態へ移行するよう、前記指針駆動手段を制御する
ことを特徴とする請求項１〜９のいずれか一つに記載の指針式表示装置。
【発明の詳細な説明】
【技術分野】
【０００１】
この発明は、指針を用いた表示をおこなう指針式表示装置に関し、特に、指針を用いた時刻表示をおこなう電子時計に関する。
【背景技術】
【０００２】
従来、電子時計などの指針式表示装置において、機能が多様化し、指針を用いて多くの情報を操作者に伝える必要性が高まっている。多くの機能にかかる情報を表示させる場合には、その指示操作のための外部操作部材も多く必要になる。
【０００３】
また、従来技術として、複数の機能を選択する機能選択回路と、機能選択回路の機能を選択するための外部操作部材を有し、機能選択回路が外部操作部材の継続操作によって、２つ以上の機能を連続的に順次選択する（たとえば下記特許文献１参照。）などが存在する。このような従来技術では、外部操作部材であるブッシュボタンを操作して、通常時計状態→受信モニタ→強制受信→０位置確認モードに移行する。
【０００４】
【特許文献１】特開２００３−８４０８０号公報
【発明の開示】
【発明が解決しようとする課題】
【０００５】
しかしながら、従来の電子時計を含む指針式表示装置では、デザイン上の問題から、外部操作部材をできるだけ減らしたいとの傾向がある。そのため、上記特許文献１にかかる従来技術のように１つのボタンにおいて操作の仕方（たとえば押下時間の違い）によって別の機能にかかる情報を表示させることも考えられるが、操作者にとって操作が煩雑になってしまったり、誤操作を頻繁に繰り返してしまうなどの問題点があった。
【０００６】
また上記特許文献１にかかる従来技術にあっては、指針による表示は、複数の機能の内の単に選択されている機能が何であるかを示すに過ぎず、一度の操作で複数の情報を操作者に伝えるものではなかった。
【０００７】
また操作者は必要なときだけ指針式表示装置による表示を見るのが一般的であって、常に表示を見ているものではない。したがって、情報によっては、操作者による表示指示がなされず、それによって、操作者へ告知しなければならない情報（たとえば充電量の不足などの情報）が伝わらずに、指針式表示装置の機能に支障をきたしてしまう場合があるという問題があった。
【０００８】
この発明は、上述した従来技術による問題点を解消するため、情報を表示するための外部操作部材を極力減らすことができるとともに、操作者に告知すべき情報を、当該操作者に対して確実に伝えることができる指針式表示装置を提供することを目的とする。
【課題を解決するための手段】
【０００９】
上述した課題を解決し、目的を達成するため、この発明にかかる指針式表示装置は、指針と、前記指針を駆動する指針駆動手段と、前記指針駆動手段の動作を制御する制御手段と、所定の操作が可能な外部操作部材と、を備え、前記指針によって、第１の情報と、当該第１の情報とは異なる第２の情報と、を表示する指針式表示装置であって、前記第１の情報と前記第２の情報とを連続して表示する第１の表示状態を有し、前記第１の表示状態で、前記外部操作部材による前記所定の操作がおこなわれた場合に、前記第１の情報を表示する運針形態と前記第２の情報を表示する運針形態とが互いに異なるように、前記制御手段が前記指針駆動手段を制御することを特徴とする。
【００１０】
また、この発明にかかる指針式表示装置は、上記の発明において、さらに、前記第２の情報を表示せずに、前記第１の情報を表示する第２の表示状態を有し、前記第２の表示状態で、前記外部操作部材による前記所定の操作がおこなわれた場合に、前記第１の情報を表示する運針形態で前記指針を駆動するように、前記制御手段が前記指針駆動手段を制御し、前記制御手段が、前記外部操作部材による前記所定の操作がおこなわれた場合に、所定の条件を満たしているか否かを判断するとともに、前記所定の条件を満たしている場合は、前記第２の表示状態となるように前記指針駆動手段を制御し、前記所定の条件を満たしていない場合は、前記第１の表示状態となるように前記指針駆動手段を制御することを特徴とする。
【００１１】
また、この発明にかかる指針式表示装置は、上記の発明において、前記第１の表示状態で、前記第２の情報を先に表示し、前記第１の情報を前記第２の情報の後に表示することを特徴とする。
【００１２】
また、この発明にかかる指針式表示装置は、上記の発明において、前記第１の表示状態で、前記第１の情報を先に表示し、前記第２の情報を前記第１の情報の後に表示することを特徴とする。
【００１３】
また、この発明にかかる指針式表示装置は、上記の発明において、前記第１の表示状態では、前記第１の情報を表示するために前記指針を所定位置まで駆動する運針方向と、前記第２の情報を表示するために前記指針を所定位置まで駆動する運針方向と、異なる運針方向となるようにすることによって、前記第１の情報を表示する運針形態と前記第２の情報を表示する運針形態とが互いに異なるように、前記制御手段が前記指針駆動手段を制御することを特徴とする。
【００１４】
また、この発明にかかる指針式表示装置は、上記の発明において、前記第１の情報を表示するときの前記指針の運針方向が正転であり、前記第２の情報を表示するときの前記指針の運針方向が逆転であることを特徴とする。
【００１５】
また、この発明にかかる指針式表示装置は、上記の発明において、前記第１の表示状態で、前記指針を所定位置まで駆動した後に第１の時間だけ当該指針を停止させることによって前記第１の情報を表示するとともに、前記指針を所定の位置まで駆動した後に前記第１の時間よりも長い第２の時間だけ当該指針を停止させることによって前記第２の情報を表示することで、前記第１の情報を表示する運針形態と前記第２の情報を表示する運針形態とが互いに異なるように、前記制御手段が前記指針駆動手段を制御することを特徴とする。
【００１６】
また、この発明にかかる指針式表示装置は、上記の発明において、前記第１の表示状態で、前記第１の情報を表示するために前記指針を所定位置まで駆動する速度と、前記第２の情報を表示するために前記指針を所定位置まで駆動する速度と、異なる速度となるようにすることによって、前記第１の情報を表示する運針形態と前記第２の情報を表示する運針形態とが互いに異なるように、前記制御手段が前記指針駆動手段を制御することを特徴とする。
【００１７】
また、この発明にかかる指針式表示装置は、上記の発明において、前記第１の情報と前記第２の情報は、前記指針を駆動して所定位置に停止させることによって表示される情報であり、前記第１の情報を表示するときの前記所定位置と前記第２の情報を表示するときの前記所定位置とが同じ位置であり、前記第１の表示状態では、前記第１の情報を表示する場合と、前記第２の情報を表示する場合とで、前記指針が前記所定位置に駆動されるまでの運針形態が互いに異なるように、前記制御手段が前記指針駆動手段を制御することを特徴とする。
【００１８】
また、この発明にかかる指針式表示装置は、上記の発明において、前記指針駆動手段および前記制御手段に電力を供給する電源と、前記電源の電圧値を測定する電圧測定手段と、を備え、前記制御手段が、前記所定の条件を満たしているか否かの判断を、前記電圧測定手段によって測定された前記電源の電圧値に基づいておこなうことを特徴とする。
【００１９】
また、この発明にかかる指針式表示装置は、上記の発明において、時刻を計時する計時手段を備え、前記制御手段が、前記計時手段によって計時される時刻に基づいて、前記指針駆動手段を制御して前記指針により時刻を表示する時刻表示状態を維持するとともに、前記時刻表示状態において、前記外部操作部材による前記所定の操作がおこなわれた場合に、前記第１の表示状態へ移行するよう、前記指針駆動手段を制御することを特徴とする。
【００２０】
また、この発明にかかる指針式表示装置は、上記の発明において、時刻を計時する計時手段を備え、前記制御手段が、前記計時手段によって計時される時刻に基づいて、前記指針駆動手段を制御して前記指針により時刻を表示する時刻表示状態を維持するとともに、前記時刻表示状態において、前記外部操作部材による前記所定の操作がおこなわれた場合に、前記第１の表示状態または前記第２の表示状態へ移行するよう、前記指針駆動手段を制御することを特徴とする。
【発明の効果】
【００２１】
本発明によれば、操作者が所定の表示を要求する操作がなされた際に、操作者に告知すべき情報をあわせて（たとえば連続して）表示することができ、これによって、情報を表示するための外部操作部材を極力減らすことができるとともに、それぞれの情報を表示するときに指針の運針形態を互いに異ならせることによって、操作者に告知すべき情報を、当該操作者に対して確実に伝えることができる指針式表示装置が得られるという効果を奏する。
【発明を実施するための最良の形態】
【００２２】
以下に添付図面を参照して、この発明による指針式表示装置の実施の形態を詳細に説明する。
【００２３】
（電波修正時計の外観）
図１は、この発明の実施の形態にかかる指針式表示装置の一例である電波修正時計の外観を示す説明図である。図１において、電波修正時計は、本体１００と、本体１００をたとえば腕に装着するためのバンド（図示を省略）とから構成される、腕時計型の電波修正時計である。また、本体１００の外周には、りゅうず１０４および操作ボタン１０５を備えている。なお、操作ボタン１０５は、隠しボタンであってもよい。隠しボタンは、特に女性用の時計など、デザイン上の理由から、操作ボタンを目立たないようにする際には有効である。
【００２４】
本体１００の表示部分には、通常時刻を示す通常指針（分針１０１、時針１０２、秒針１０３）とを備える。通常指針は、秒針１０３が秒周期で回転、すなわち６０秒で１回転（１周）する。分針１０１が分周期で回転、すなわち６０分で１回転（１周）する。時針１０２が時周期で回転、すなわち１２時間で１回転（１周）する。これらの指針（秒針１０３、分針１０１、時針１０２）によって通常時刻を表示する。３時の位置には日付表示窓１０６を備えている。
【００２５】
（電波修正時計の構成）
図２は、この発明の実施の形態にかかる指針式表示装置の一例である電波修正時計のハードウエア構成を示す説明図である。図２において、電波修正時計本体１００には、カウンタ部２０７を有するマイコンＩＣ２００と、ＲＡＭ２０１と、ＲＯＭ２０２と、モータ駆動回路２０３と、モータ２０４（２０４ａ、２０４ｂ、２０４ｃ、２０４ｄ）と、輪列２０５（２０５ａ、２０５ｂ、２０５ｃ、２０５ｄ）と、基準信号発生部２０６と、アンテナ２０８と、同調回路２０９と、受信回路２１０と、スイッチ部２１１と、スイッチ制御回路２１２と、ソーラセル２１３と、二次電池２１４と、充電制御回路２１５と、を備える。さらに図示を省略する液晶駆動回路、ＬＥＤ、ＬＥＤ駆動回路、アラーム、アラーム駆動回路などをあわせて備えていてもよい。
【００２６】
マイコンＩＣ２００は、電波修正時計本体１００の全体を制御するほか、各種の構成部、回路を個別に演算制御する。ＲＡＭ２０１は、時刻情報あるいはカレンダ情報を含む計時データなどの各種データを記憶している。また、ＲＯＭ２０２は、各種の制御プログラムを記憶している。
【００２７】
モータ駆動回路２０３は、独立した４つのモータ２０４（２０４ａ、２０４ｂ、２０４ｃ、２０４ｄ）を駆動し、輪列２０５（２０５ａ、２０５ｂ、２０５ｃ、２０５ｄ）を介して、それぞれの指針（日板）を別個独立に駆動する。モータ駆動回路２０３は、マイコン２００から出力される駆動信号を入力し、入力された駆動信号に応じた駆動パルスを４つのモータ２０４へそれぞれ出力する。
【００２８】
４つのモータ２０４は、具体的にはたとえばステップモータを用いており、モータ駆動回路２０３から出力される駆動パルスに応じた正転（右回り）または逆転（左回り）の回転動作をおこなう。
【００２９】
４つのモータ２０４のうち、１つめのモータ２０４ａは、図１に示した秒針１０３を駆動する。２つめのモータ２０４ｂは、図１に示した分針１０１を駆動する。３つめのモータ２０４ｃは、図１に示した時針１０２を駆動する。４つめのモータ２０４ｄは、文字盤の下側に設けられている日板を駆動する。モータおよび輪列は４つずつ示したが、３つ以下でもよく、５つ以上であってもよい。たとえば、１つめのモータ２０４ａが分針１０１および秒針１０３を駆動する。２つめのモータ２０４ｂは、時針１０２および日板を駆動すれば、モータおよび輪列は２つあれば足りることになる。
【００３０】
基準信号発生部２０６は、たとえば発振回路から構成され、計時処理の基準となる所定の周波数を有する信号を発生する。また、カウンタ部２０７は、基準信号発生部２０６から発生される所定の周波数を有する信号を分周する。
【００３１】
同調回路２０９は、アンテナ２０８と同調をとり、たとえばコンデンサの容量を切り替えるなどによって、６０ｋＨｚ（米国）、７７．５ｋＨｚ（独国）、４０ｋＨｚ、６０ｋＨｚ（日本）などの周波数にアンテナ２０８を同調する。また、受信回路２１０は、アンテナ２０８によって受信された信号から標準電波を検出し、マイコンＩＣ２００に対して出力する。
【００３２】
受信回路２１０は、アンテナ２０８によって受信した信号を増幅する、図示を省略する増幅部、所望の周波数（４０ｋＨｚ、６０ｋＨｚ、７７．５ｋＨｚ）以外を除去する、図示を省略するフィルタ部、受信した標準電波を検波する、図示を省略する検波部、検波出力をデジタル出力に変換する、図示を省略するＡＤ変換部、増幅率を自動調整する、図示を省略するゲインコントロール部などを含む構成となっている。
【００３３】
スイッチ部２１１は、操作者の操作指示を入力する。具体的には、図１に示したりゅうず１０４、操作ボタン１０５などによって構成される。スイッチ制御回路２１２は、スイッチ部２１１からの信号に基づいて、操作者からの操作指示に関する入力をマイコンＩＣ２００に送信する。
【００３４】
充電制御回路２１５は、ソーラセル２１３によって受光された光を電力に変換し、二次電池２１４に蓄積する。また、充電制御回路２１５は、二次電池２１４の電圧（値）を検出する電圧検出機能、ソーラセル２１３が発電状態か非発電状態かを検出する発電検出機能などを備える。そして、これらの機能によって検出結果に関する信号をマイコンＩＣ２００に対して出力する。この信号に基づいて、充電残量の表示をおこなう。
【００３５】
液晶駆動回路は、図示を省略する表示画面を駆動して各種情報を表示させる。また、ＬＥＤ駆動回路は、ＬＥＤを駆動してバックライトとして表示画面を照明したり、警告光を出力したりする。ＬＥＤの代わりに、ＥＬ（Ｅｌｅｃｔｒｏｌｕｍｉｎｅｓｃｅｎｃｅ）、ランプなどを用いてもよい。アラーム駆動回路は、アラームが搭載する図示を省略する圧電素子を駆動して、アラーム（ブザー）を出力する。その際、アラーム駆動回路は、告知の種類によって、音の種類、高さ、音量などを変えて出力する。
【００３６】
図３は、この発明の実施の形態にかかる指針式表示装置の機能的構成を示す説明図である。図３において、指針式表示装置（たとえば電波修正時計１００）は、少なくとも指針３０１と、指針駆動部３０２と、制御部３０３と、外部操作部材３０４と、電源３０５と、電圧測定部３０６と、計時部３０７と、を含む構成となっている。さらに電波修正時計１００であれば、図示を省略する標準電波受信部および時刻修正部を含んでいてもよい。
【００３７】
ここで指針３０１は、たとえば図１に示した秒針１０３である。ただし、秒針１０３に限らず、分針１０１、時針１０２であってもよく、図１では図示を省略する、各種の表示をおこなう通常指針とは別に設けられた機能指針であってもよい。
【００３８】
指針駆動部３０２は、指針を駆動する。指針駆動部３０２は、具体的には、たとえば図２に示したモータ駆動回路２０３、モータ２０４および輪列２０５によってその機能を実現する。
【００３９】
制御部３０３は、指針駆動部３０２の動作を制御する。制御部３０３の制御の内容の詳細については後述する。制御部３０３は、具体的には、たとえば図２に示したＲＡＭ２０１またはＲＯＭ２０２に記憶されたプログラムをマイコンＩＣ２００が実行することによってその機能を実現する。
【００４０】
外部操作部材３０４は、指針式表示装置における所定の操作が可能である。外部操作部材３０４は、具体的には、たとえば図１に操作ボタン１０５、図２に示したスイッチ部２１１およびスイッチ制御回路２１２などによってその機能を実現する。
【００４１】
電源３０５は、指針駆動部３０２、制御部３０３、計時部３０７、図示を省略する標準電波受信部および時刻修正部など、指針式表示装置の各構成部に対して電力を供給する。電源３０５は、具体的には、たとえば図２に示した二次電池２１４などによってその機能を実現する。
【００４２】
電圧測定部３０６は、電源３０５である二次電池２１４の電圧値を測定（検出）する。そして、検出された結果、電圧があらかじめ所定の記憶領域（たとえば図２に示したＲＡＭ２０１、ＲＯＭ２０２など）に記憶された所定値と比較し、その比較結果に基づいて所定の条件を満たしているか否かの判断をおこなう。電圧測定部３０６は、具体的には、たとえば図２に示した充電制御回路２１５などによってその機能を実現する。
【００４３】
電圧測定部３０６は、二次電池２１４の電圧（値）を検出する。そして制御部３０３は、所定の条件を満たしているか否かの判断をおこなうが、その判断の一例として、たとえば電圧測定部３０６によって測定された電源３０５の電圧値に基づいておこなう。
【００４４】
すなわち、電圧測定部３０６によって検出された結果、電圧があらかじめ所定の記憶領域（たとえば図２に示したＲＡＭ２０１、ＲＯＭ２０２など）に記憶された所定値以上の場合に第２の表示状態で表示させるようにし、電圧が所定値未満では第１の表示状態で表示させるようにする。制御部３０３は、さらに電圧測定部３０６から検出した電圧値に基づいて、充電量表示を更新したり、機能制限（ライト、アラーム禁止）をしたりしてもよい。
【００４５】
計時部３０７は、電源３０５からの電源の供給を受けて時刻（具体的には現地時刻あるいはＵＴＣ）を計時する。計時部３０７は、具体的には、たとえば図２に示した基準信号発生部２０６およびカウンタ部２０７によってその機能を実現することができる。
【００４６】
そして、制御部３０３は、計時部３０７によって計時される時刻に基づいて、指針駆動部３０２を制御して指針３０１により時刻を表示する時刻表示状態を維持するとともに、時刻表示状態において、外部操作部材３０４による所定の操作がおこなわれた場合に、第１の表示状態あるいは第２の表示状態へ移行するよう、指針駆動部３０２を制御する。
【００４７】
図示を省略する標準電波受信部は、時刻情報を含む標準電波を受信する。標準電波受信部は、具体的には、たとえば図２に示した受信回路２１０などによってその機能を実現する。
【００４８】
図示を省略する時刻修正部は、計時部３０７によって計時されている計時時刻を標準電波受信部によって受信された標準電波に基づいて修正する。したがって、標準電波受信部が標準電波の受信に失敗した場合は、計時時刻の修正はおこなわない。時刻修正部は、具体的には、たとえば図２に示したマイコンＩＣ２００が、ＲＡＭ２０１、ＲＯＭ２０２に記憶されたプログラムなどを実行することによってその機能を実現する。
【００４９】
時刻修正部は、図示を省略するサンプリング部と、データ判定部と、デコード部と、受信レベル判定部と、時刻更新許可部とから構成される。サンプリング部は、標準電波受信部からの出力を一定周期（たとえば３２Ｈｚ）でサンプリングする。そして、データ判定部は、サンプリング結果から“０”“１”“Ｐ”を判定する。
【００５０】
デコード部は、“０”“１”“Ｐ”コードに判定された結果に基づいて、図示を省略するフォーマットを用いて時刻情報を生成する。受信レベル判定部は、たとえば、標準電波受信部のゲインコントロール部の出力によって受信電波の強弱による受信レベル分けをする。
【００５１】
指針式表示装置（電波修正時計）１００は、このような構成において、通常の時刻表示とは別の情報であって、第１の情報（詳細は後述する）と、第１の情報とは異なる第２の情報（詳細は後述する）とを表示する。そして指針表示装置１００は、第１の情報と第２の情報とを連続して表示する第１の表示状態を有する。
【００５２】
そして指針式表示装置１００は、第１の表示状態では、外部操作部材３０４の一例である操作ボタン１０５による所定の操作（具体的には、たとえばボタンの所定時間の押下など）がおこなわれた場合に、第１の情報を表示する運針形態と前記第２の情報を表示する運針形態とが互いに異なるように、制御部３０３が指針駆動部３０２を制御する。
【００５３】
さらに指針式表示装置１００は、第２の情報を表示せずに、第１の情報を表示する第２の表示状態を有する。そして指針式表示装置１００は、第２の表示状態では、外部操作部材３０４の一例である操作ボタン１０５による所定の操作（具体的には、たとえばボタンの所定時間の押下など）がおこなわれた場合に、第１の情報を表示する運針形態で指針を駆動するように、制御部３０３が指針駆動部３０２を制御する。
【００５４】
すなわち、第２の表示状態では、外部操作部材による同じ操作がおこなわれても、第２の情報を表示せず、第１の情報のみを表示する。また第２の表示状態では、第２の情報を表示せず、第１の情報と、第１の情報および第２の情報とは異なる別の第３の情報を表示するようにしてもよい。
【００５５】
このように、第２の情報を表示せずに、第１の情報を表示する第２の表示状態を有し、第２の表示状態で、外部操作部材３０４による所定の操作がおこなわれた場合に、第１の情報を表示する運針形態で指針３０１を駆動するように、制御部３０３が指針駆動部３０２を制御し、制御部３０３が、外部操作部材３０４による所定の操作がおこなわれた場合に、所定の条件を満たしているか否かを判断するとともに、所定の条件を満たしている場合は、第２の表示状態となるように指針駆動部３０２を制御し、所定の条件を満たしていない場合は、第１の表示状態となるように前記指針駆動部３０２を制御するため、所定の条件を満たした場合にのみ第２の情報を表示でき、これにより、状況に応じて必要な情報のみを表示し、不要な情報は極力表示しないようにすることができる。
【００５６】
前記第１の表示状態では、第１の情報を表示するために指針３０１を所定位置まで駆動する運針方向と、第２の情報を表示するために指針３０１を所定位置まで駆動する運針方向と、異なる運針方向となるようにすることによって、第１の情報を表示する運針形態と第２の情報を表示する運針形態とが互いに異なるように、制御部３０３が指針駆動部３０２を制御するため、通常の運針とは異なる回動動作によって、第２の情報を認識させられるように、操作者に対してより注意を喚起することができる。例えば、第１の情報を表示するときの指針３０１の運針方向を正転とし、第２の情報を表示するときの指針３０１の運針方向を使用者の目に付きやすい逆転とすることにより、操作者に確実に第２の情報の内容を伝えることができる。
【００５７】
また、第１の表示状態で、指針３０１を所定位置まで駆動した後に第１の時間だけ当該指針を停止させることによって第１の情報を表示するとともに、指針３０１を所定の位置まで駆動した後に第１の時間よりも長い第２の時間だけ指針３０１を停止させることによって第２の情報を表示することで、第１の情報を表示する運針形態と第２の情報を表示する運針形態とが互いに異なるように、制御部３０３が指針駆動部３０２を制御するため、第２の情報を認識させられるように、操作者に対してより注意を喚起することができる。
【００５８】
また、第１の表示状態で、第１の情報を表示するために指針３０１を所定位置まで駆動する速度と、第２の情報を表示するために指針３０１を所定位置まで駆動する速度と、異なる速度となるようにすることによって、第１の情報を表示する運針形態と第２の情報を表示する運針形態とが互いに異なるように、制御部３０３が指針駆動部３０２を制御するため、指針の移動速度の違いにより、第２の情報を認識させられるように、操作者に対してより注意を喚起することができる。
【００５９】
また、第１の情報と第２の情報は、指針３０１を駆動して所定位置に停止させることによって表示される情報であり、さらに、第１の情報を表示するときの所定位置と第２の情報を表示するときの所定位置とを同じ位置にするとともに、第１の表示状態では、第１の情報を表示する場合と、第２の情報を表示する場合とで、指針３０１が所定位置のいずれかに駆動されるまでの運針形態が互いに異なるように、制御部３０３が指針駆動部３０２を制御するため、例えば、所定位置に対応した表示板の位置に、第１の情報の表示に関する文字と第２の情報の表示に関する文字を共通化して表示し、表示板のデザインの自由度を向上させることができる。
【００６０】
また、制御部３０３は、所定の条件を満たしているか否かの判断を、装置全体に電力を供給する電源３０５の電圧値を測定する電圧測定部３０６によって測定された電源３０５の電圧値に基づいておこなうため、電源３０５の電圧値が所定値以上であれば、あえて第２の情報（充電量の不足）の表示を省略でき、これによって、不要な情報の表示による操作者の煩わしさを解消することができる。
【００６１】
また、時刻を計時する計時部３０７を備え、制御部３０３は、計時部３０７によって計時される時刻に基づいて、指針駆動部３０２を制御して指針３０１により時刻を表示する時刻表示状態を維持するとともに、この時刻表示状態において、外部操作部材３０４による所定の操作がおこなわれた場合に、第１の表示状態または前記第２の表示状態へ移行するよう、指針駆動部３０２を制御するため、時刻表示に用いている指針３０１を用いて第１の情報および第２の情報を表示することができる。
【００６２】
（制御部の動作内容）
つぎに、指針式表示装置の制御部３０３の動作内容の一例について説明する。図４は、この発明の実施の形態にかかる指針式表示装置の動作の内容を示すフローチャートである。図４のフローチャートにおいて、まず、通常の動作状態（時刻表示状態）において、操作ボタン１０５が押下されたか否かを判断する（ステップＳ４０１）。
【００６３】
そして、操作ボタン１０５が押下されるのを待って、押下された場合（ステップＳ４０１：Ｙｅｓ）は、つぎに、所定の条件を満たしているか否かを判断する（ステップＳ４０２）。所定の条件を満たしているかの一例として、電源３０５において「電圧値＜所定値」か否かを判断する。
【００６４】
ステップＳ４０２において、所定の条件を満たしている場合（ステップＳ４０２：Ｙｅｓ）、具体的にはたとえば、電源電圧値が所定値未満であり、充電量が不足（不十分）である場合は、第２の情報の表示（具体的には、たとえば電池の残容量の表示）をおこない（ステップＳ４０３）、その後、ステップＳ４０４へ移行して、第１の情報の表示（具体的には、たとえば受信結果の表示）をおこなう（ステップＳ４０４）。
【００６５】
一方、ステップＳ４０２において、所定の条件を満たしていない場合（ステップＳ４０２：Ｎｏ）、具体的にはたとえば、電源電圧値が所定値以上であり、充電量が充分である場合は、第２の情報の表示（残容量表示）は不要であるので、第２の情報の表示をおこなうことなく、ステップＳ４０４へ移行し、第１の情報の表示をおこなう（ステップＳ４０４）。そして、所定時間だけ第１の情報の表示がおこなわれた後、所定時間が経過したら、再び通常の動作状態（時刻表示）に切り替えて（ステップＳ４０５）、ステップＳ４０１へ戻り、以後、ステップＳ４０１からＳ４０５の各手順を繰り返しおこなう。
【００６６】
このように、第１の情報と第２の情報とを連続して表示する第１の表示状態（ステップＳ４０２：Ｙｅｓ）を有しており、第１の表示状態では、前記外部操作部材による前記所定の操作がおこなわれた場合に、前記第１の情報を表示する運針形態と前記第２の情報を表示する運針形態とが互いに異なるように、制御部３０３が指針駆動部３０２を制御する。
【００６７】
また、第２の情報を表示せずに、第１の情報を表示する第２の表示状態（ステップＳ４０２：Ｎｏ）を有し、第２の表示状態では、外部操作部材３０４による所定の操作がおこなわれた場合に、第１の情報を表示する運針形態で指針３０１を駆動するように、制御部３０３が指針駆動部３０２を制御する。
【００６８】
制御部３０３、外部操作部材３０４による所定の操作がおこなわれた場合に、所定の条件を満たしているか否かを判断するとともに、所定の条件を満たしている場合は、第１の表示状態となるように指針駆動部３０２を制御し、所定の条件を満たしていない場合は、第２の表示状態となるように指針駆動部３０２を制御する。
【００６９】
図４に示すように、第１の表示状態では、第２の情報を先に表示し、第１の情報を前記第２の情報の後に表示するようにしたが、それとは逆に、第１の表示状態では、第１の情報を先に表示し、第２の情報を第１の情報の後に表示するようにしてもよい。
【００７０】
図５は、第１および第２の情報の表示処理の手順の一例を示すフローチャートである。図５のフローチャートにおいて、まず、通常の動作状態（時刻表示状態）において、操作ボタン１０５が押下されたか否かを判断する（ステップＳ５０１）。ここで、操作ボタン１０５が押下されるのを待って、押下された場合（ステップＳ５０１：Ｙｅｓ）は、秒針１０３を所定の速度で逆転する（ステップＳ５０２）。所定の速度とは、通常の秒針１０３の運針速度（１周／分）と同速度であってもよく、それよりも速い速度であっても、さらにはそれよりも遅い速度であってもよい。
【００７１】
つぎに、逆転した秒針１０３が所定の指示位置に到達したか否かを判断する（ステップＳ５０３）。ここで、所定の指示位置とは、たとえば、操作ボタン１０５が押下されたときの秒針１０３の位置とは無関係に固定の位置（具体的には、５時の位置など）であってもよい。また所定の指示位置とは、操作ボタン１０５が押下された時の秒針１０３の位置から、１５秒分だけ逆転した位置（具体的には、秒針１０３が「４５秒（９時）」の位置である場合は１５秒分だけ逆転した「３０秒（６時）」の位置であってもよい。
【００７２】
ステップＳ５０３において、所定の位置に到達するのを待って、到達した場合（ステップＳ５０３：Ｙｅｓ）は、秒針１０３を当該所定の位置において停止する（ステップＳ５０４）。これによって、第２の情報の表示機能を実現する。その後、当該秒針１０３を所定の位置において停止した状態で、所定の時間が経過したか否かを判断する（ステップＳ５０５）。ここで所定の時間とは、たとえば「１０秒」である。また、「０秒」であってもよく、その場合には、秒針１０３が停止した直後に、ステップＳ５０６へ移行する。
【００７３】
ステップＳ５０５において、所定の時間が経過するのを待って、経過した場合（ステップＳ５０５：Ｙｅｓ）は、つぎに、秒針１０３を所定の速度で正転する（ステップＳ５０６）。ここで所定の速度とは、上記逆転よりも速い速度が望ましいが、それに限定されるものではない。したがって、上記逆転よりも遅い速度でもよく、同一の速度でもよい。ただし、通常の運針と区別するために、通常の運針とは異なる速度とすることが望ましい。
【００７４】
つぎに、正転した秒針１０３が所定の指示位置に到達したか否かを判断する（ステップＳ５０７）。ここで所定の指示位置とは、第１の表示情報を表示する所定の指示位置である。具体的には、第１の表示情報が受信結果の表示である場合、受信結果が「ＯＫ」である場合は、あらかじめ定められた「ＯＫ」位置（たとえば「１時」の位置）が、受信結果が「ＮＧ」である場合は、あらかじめ定められた「ＮＧ」位置（たとえば「１１時」の位置）が、それぞれ所定の指示位置となる。
【００７５】
ステップＳ５０７において、所定の位置に到達するのを待って、到達した場合（ステップＳ５０７：Ｙｅｓ）は、秒針１０３を当該所定の位置において停止する（ステップＳ５０８）。これによって、第１の情報の表示機能を実現する。その後、当該秒針１０３を所定の位置において停止した状態で、所定の時間が経過したか否かを判断する（ステップＳ５０９）。ここで所定の時間とは、たとえば「１５秒」である。ステップＳ５０５における第２の情報の表示における停止時間よりも長くするとよい。ただし、第２の情報表示における停止時間よりも短くてもよく、同一時間であってもよい。
【００７６】
ステップＳ５０９において、所定の時間が経過するのを待って、経過した場合（ステップＳ５０９：Ｙｅｓ）は、つぎに、秒針１０３を時刻表示の通常運針に戻す（ステップＳ５１０）。この場合は、正転であっても逆転であってもよい。いずれか速く時刻表示の通常運針の状態に戻せればよい。より速く時刻表示状態へ復帰させるためには、通常運針に戻す速度も通常運針の速度よりも速いことが望ましい。その後、ステップＳ５０１へ戻って、以後同様の処理を繰り返し実行する。
【００７７】
このように、第１の表示状態では、指針３０１を正転で所定位置まで駆動して第１の情報を表示し、指針３０１を逆転で所定の位置まで駆動して第２の情報を表示して、第１の情報を表示する場合と第２の情報を表示する場合とで指針３０１の運針方向を異ならせることにより、第１の情報を表示する運針形態と第２の情報を表示する運針形態とが互いに異なるように、制御部３０３が指針駆動部３０２を制御することができる。
【００７８】
また、第１の情報を表示する場合に指針３０１を逆転で駆動し、第２の情報を表示する場合に指針３０１を正転で駆動することにより、第１の情報を表示する運針形態と第２の情報を表示する運針形態とが互いに異なるように、制御部３０３が指針駆動部３０２を制御することもできる。
【００７９】
また第１の表示状態では、指針３０１を所定位置まで駆動した後に第１の時間だけ指針３０１を停止させることによって第１の情報を表示するとともに、指針３０１を所定の位置まで駆動した後に第１の時間よりも長い第２の時間だけ指針３０１を停止させることによって第２の情報を表示することで、前記第１の情報を表示する運針形態と前記第２の情報を表示する運針形態とが互いに異なるように、制御部３０３が指針駆動部３０２を制御するようにしてもよい。この際の指針３０１の回動方向（正転か逆転か）は、第１の情報の表示と第２の情報の表示とで同一方向であってもよく、また互いに反対方向であってもよい。
【００８０】
このように、第１の情報の表示をするための指針の停止時間（第１の時間）と、第２の情報の表示をするための指針の停止時間（第２の時間）とを異ならせることによって、第１の情報の表示と第２の情報の表示の運針形態を互いに異なるようにすることができる。特に、第２の時間を第１の時間よりも長くすることによって、第２の情報の表示をより強調して表示することができる。
【００８１】
また第１の表示状態では、第１の情報を表示するために指針３０１を所定位置まで駆動する速度と、第２の情報を表示するために指針３０１を所定位置まで駆動する速度と、異なる速度となるようにすることによって、第１の情報を表示する運針形態と第２の情報を表示する運針形態とが互いに異なるように、制御部３０３が指針駆動部３０２を制御するようにしてもよい。この際の指針３０１の回動方向（正転か逆転か）は、第１の情報の表示と第２の情報の表示とで同一方向であってもよく、また互いに反対方向であってもよい。
【００８２】
このように、指針３０１の移動速度の違いによって、第１の情報であるか第２の情報であるかを容易に操作者に認識させることができる。
【００８３】
つぎに、この発明の実施の形態にかかる指針式表示装置の具体例について説明する。図６（図６−１、図６−２）〜図１０（図１０−１、図１０−２）は、この発明の実施の形態にかかる指針式表示装置の各具体例の内容を示す説明図である。
【００８４】
（具体例１）
図６−１、図６−２は具体例１の内容を示す説明図であり、図６−１は、第１の表示状態における第２の情報を表示している状態を示しており、図６−２は、図６−１に引き続き、第１の表示状態における第１の情報を表示している状態を示している。具体例１では、第１の情報が前回の標準電波の受信結果の表示であり、第２の情報が充電量不足の警告である。
【００８５】
図６−１において、「（１０時１０分）３０秒」を示していた秒針１０３（図中、秒針１０３を波線にて表示）が、操作ボタン１０５が押下されたことによって逆転し（図中点線の矢印で表示）、約１０秒分だけ逆転した位置（第２の情報の表示位置）で停止する。これが第２の情報の表示である。
【００８６】
その後、図６−２に示すように、第２の情報の表示位置（図中、秒針１０３を波線にて表示）で所定時間（たとえば約１０秒〜１５秒）停止した後、正転し（図中、点線の矢印で表示）、「５秒」の位置まで移動して停止する。「５秒」の位置（すなわち「ＯＫ」の位置）６０１であれば、この位置に停止することによって、前回の受信結果が成功したことを示す。また正転によって移動して停止した位置が「５５秒」の位置（すなわち「ＮＧ」の位置）６０２であれば、前回の受信結果が失敗したことを示す。
【００８７】
これらが第１の情報の表示である。これによって、標準電波の前回の受信結果が分かる。そして、秒針１０３は所定時間（たとえば１０秒）だけ第１の情報の表示位置において停止した後、時刻表示へ移行（オートリターン）する。また、仮に、操作ボタン１０５が押下されたときに充電量不足ではない場合、秒針１０３は、図６−１の点線で示した３０秒の位置から、直接、図６−２で示した５秒の位置まで移動することにより、第２の表示状態で第１の情報のみを表示する。
【００８８】
具体例１では、操作ボタン１０５が押下されて充電量不足の場合に、秒針１０３を約１０秒分だけ逆転させたが、これとは逆に、操作ボタン１０５が押下されて充電量不足の場合に、秒針１０３を「５５秒」の位置又は「５秒」の位置に直接移動させ（第１の情報だけを表示し）、充電量不足ではない場合に、秒針１０３を約１０秒分だけ逆転させてから、「５５秒」の位置又は「５秒」の位置に移動させる（第２の情報を表示してから第１の情報を表示する）ようにしても良い。このように構成することにより、充電量が少ない場合に、できるだけ指針１０３の移動を減らして、電力を消費しないようにすることが出来る。
【００８９】
（具体例２）
図７−１、図７−２は具体例２の内容を示す説明図であり、図７−１は、第１の表示状態における第２の情報を表示している状態を示しており、図７−２は、図７−１に引き続き、第１の表示状態における第１の情報を表示している状態を示している。具体例２では、具体例１と同様に、第１の情報が前回の標準電波の受信結果の表示であり、第２の情報が充電量表示である。
【００９０】
また図７−１および図７−２において、「５秒」（「Ｈｉ」）の位置７０１は、受信結果が高い受信レベルであることを示すとともに、電池の充電量が多い（充分）ことを示す。同様に「１０秒」（「Ｍｉｄ」）の位置７０２は、受信結果が中程度受信レベルであることを示すとともに、電池の充電量が中程度であることを示す。また同様に「１５秒」（「Ｌｏｗ」）の位置７０３は、受信結果が低い受信レベルであることを示すとともに、電池の充電量が少ない（不足）であることを示す。受信結果を示すのか電池の充電量を示すのかは、秒針１０３が正転して停止したのか、逆転して停止したのかによって区別することができる。
【００９１】
すなわち図７−１において、「（１０時１０分）３０秒」を示していた秒針１０３（図中、秒針１０３を波線にて表示）が、操作ボタン１０５が押下されたことによって逆転し（図中点線の矢印で表示）、所定位置である「１５秒」の位置（第１の情報の表示位置）で停止する。これが第２の情報の表示である。秒針１０３は、いずれの位置にあったとしても、かならず「１５秒」の位置へ逆転で移動する。
【００９２】
その後、図７−２に示すように、第２の情報の表示位置（図中、秒針１０３を波線にて表示）で所定時間（たとえば約１０秒〜１５秒）停止した後、正転し（図中、点線の矢印で表示）、「５秒」の位置まで移動して停止する。「５秒」の位置（すなわち「Ｈｉ」の位置）であれば、この位置に停止することによって、前回の受信結果が高い受信レベルであったことを示す。
【００９３】
また正転によって移動して停止した位置が「１０秒」の位置（すなわち「Ｍｉｄ」の位置）であれば、前回の受信結果が中程度の受信レベルであったことを示す。また正転によって移動して停止した位置が「１５秒」の位置（すなわち「Ｌｏｗ」の位置）であれば、前回の受信結果が低い受信レベルであったことを示す。
【００９４】
これらが第１の情報の表示である。これによって、標準電波の前回の受信結果が分かる。そして、秒針１０３は所定時間（たとえば１０秒）だけ第１の情報の表示位置において停止した後、時刻表示へ移行（オートリターン）する。
【００９５】
このように、具体例２では、第２の情報（電池の充電量）と第１の情報（標準電波の前回の受信結果）は、指針３０１を駆動して所定位置に停止させることによって表示される情報であり、第１の情報を表示するときの所定位置と第２の情報を表示するときの所定位置とが同じ位置であり、第１の表示状態では、第１の情報を表示する場合と、第２の情報を表示する場合とで、指針３０１が所定位置に駆動されるまでの運針形態が互いに異なるように、制御部３０３が指針駆動部３０２を制御する。したがって、第１の情報（標準電波の前回の受信結果）と第２の情報（電池の充電量）を複数段階（たとえば３段階）で表示するにあたり、その段階を示す文字を兼用することができるので、表示板上の文字を減らすことにより、表示板のデザインの自由度を向上させることできる。
【００９６】
また、具体例２において、例えば、操作ボタン１０５が押下されたときに、電池の残容量が多ければ、秒針１０３を正転によって「５秒」「１０秒」「１５秒」のいずれかの位置に停止させて前回の受信結果だけを表示し、電池の残容量が少ないときは、秒針１０３を逆転で「１５」の位置に移動して停止させて電池の残容量が少ないことを表示してから、正転によって「５秒」「１０秒」「１５秒」のいずれかの位置に停止させて前回の受信結果を表示するようにしてもよい。このように、第１の情報または第２の情報の一方を表示するための表示位置が複数あり、他方の表示位置が、一方の表示位置の少なくとも一部の表示位置を兼用するように構成しても良い。
【００９７】
（具体例３）
図８−１、図８−２は具体例３の内容を示す説明図であり、図８−１は、第１の表示状態における第２の情報を表示している状態を示しており、図８−２は、図８−１に引き続き、第１の表示状態における第１の情報を表示している状態を示している。具体例３では、具体例１、具体例２と同様に、第１の情報が前回の標準電波の受信結果の表示であり、第２の情報が充電量の表示である。
【００９８】
また図８−１および図８−２において、「５秒」（「ＯＫ」）の位置８０１は、受信が成功したという受信結果を示すものであり、「５５秒」（「ＮＧ」）の位置８０２は、受信が失敗したという受信結果を示すものである。
【００９９】
また図８−１および図８−２において、「２５秒」（「Ｈｉ」）の位置８０３は、電池の充電量が多い（充分）ことを示すものであり、「３０秒」（「Ｍｉｄ」）の位置８０４は、電池の充電量が中程度であることを示すものであり、「３５秒」（「Ｌｏｗ」）の位置８０５は、電池の充電量が少ない（不足）であることを示す。
【０１００】
すなわち図８−１において、「（１０時１０分）４０秒」を示していた秒針１０３（図中、秒針１０３を波線にて表示）が、操作ボタン１０５が押下されたことによって逆転し（図中点線の矢印で表示）、所定位置である「３０秒」の位置（第１の情報の表示位置）で停止する。これが第２の情報の表示である。秒針１０３は、いずれの位置にあったとしても、かならず「３０秒」「２５秒」「３５秒」のいずれかの位置へ逆転で移動する。
【０１０１】
その後、図８−２に示すように、第２の情報の表示位置（図中、秒針１０３を波線にて表示）で所定時間（たとえば約１０秒〜１５秒）停止した後、正転し（図中、点線の矢印で表示）、「５５秒」の位置まで移動して停止する。「５５秒」の位置（すなわち「ＮＧ」の位置）であれば、この位置に停止することによって、前回の受信が失敗であったことを示す。さらに、操作ボタン１０５がさらに押下し続けられた場合には、秒針１０３は「０秒」（「ＲＥＣ」）８０６へ移動し、強制受信の準備を開始する。
【０１０２】
これらが第１の情報の表示である。これによって、標準電波の前回の受信結果が分かる。そして、第１の情報の表示位置に秒針１０３が移動した後、操作ボタン１０５が操作されずに放置されると、秒針１０３は所定時間（たとえば１０秒）だけ第１の情報の表示位置において停止した後、時刻表示へ移行（オートリターン）する。
【０１０３】
このように、具体例３では、第１の情報（標準電波の前回の受信結果）と第２の情報（電池の充電量）を複数段階（たとえば３段階）で表示するにあたり、秒針１０３の停止位置が異なる（たとえば上下対称の位置に存在する）ため、操作者が一見して、第１の情報を示しているのか第２の情報を示しているのかが分かる。
【０１０４】
（具体例４）
図９−１、図９−２は具体例４の内容を示す説明図であり、図９−１は、第１の表示状態における第２の情報を表示している状態を示しており、図９−２は、図９−１に引き続き、第１の表示状態における第１の情報を表示している状態を示している。具体例４では、具体例１〜３とは異なり、第１の情報が前回の標準電波の受信結果の表示であり、第２の情報が前回の標準電波の受信地域の表示である。
【０１０５】
また図９−１および図９−２において、「５秒」（「ＯＫ」）の位置９０１は、受信が成功したという受信結果を示すものであり、「５５秒」（「ＮＧ」）の位置９０２は、受信が失敗したという受信結果を示すものであることは、具体例３と同様である。
【０１０６】
また図９−１および図９−２において、「２５秒」（「ＪＰＮ」）の位置９０３は、前回の受信において日本の標準電波を受信したことを示すものであり、「３０秒」（「ＥＵＲ」）の位置９０４は、前回の受信においてドイツの標準電波を受信したことを示すものであり、「３５秒」（「ＵＳＡ」）の位置９０５は、アメリカ合衆国の標準電波を受信したことを示す。
【０１０７】
すなわち図９−１において、「（１０時１０分）４０秒」を示していた秒針１０３（図中、秒針１０３を波線にて表示）が、操作ボタン１０５が押下されたことによって逆転し（図中点線の矢印で表示）、所定位置である「３０秒」の位置（第２の情報の表示位置）９０４で停止する。これが第２の情報の表示である。秒針１０３は、いずれの位置にあったとしても、かならず「３０秒」「２５秒」「３５秒」のいずれかの位置へ逆転で移動する。
【０１０８】
その後、図９−２に示すように、第２の情報の表示位置（図中、秒針１０３を波線にて表示）で所定時間（たとえば約１０秒〜１５秒）停止した後、正転し（図中、点線の矢印で表示）、「５５秒」の位置まで移動して停止する。「５５秒」の位置（すなわち「ＮＧ」の位置）９０２であれば、この位置に停止することによって、前回の受信が失敗であったことを示す。さらに、操作ボタン１０５がさらに押下し続けられた場合には、秒針１０３は「０秒」（「ＲＥＣ」）の位置９０６へ移動し、強制受信の準備を開始する。
【０１０９】
これらが第１の情報の表示である。これによって、標準電波の前回の受信結果が分かる。そして、第１の表示位置に秒針１０３が移動した後、操作ボタン１０５が操作されずに放置されると、秒針１０３は所定時間（たとえば１０秒）だけ第１の情報の表示位置において停止した後、時刻表示へ移行（オートリターン）する。
【０１１０】
このように、具体例４では、第２の情報として、電池の充電量を示す代わりに、標準電波の受信地域とすることにより、標準電波の受信地域に関する情報を前回の受信結果に関する情報と一連の動作によって表示することができる。
【０１１１】
（具体例５）
図１０−１、図１０−２は具体例５の内容を示す説明図であり、図１０−１は、第１の表示状態における第２の情報を表示している状態を示しており、図１０−２は、図１０−１に引き続き、第１の表示状態における第１の情報を表示している状態を示している。具体例５では、具体例１〜４とは異なり、第１の情報が前回の標準電波の受信結果の表示であり、第２の情報がサマータイム実施期間中か否かの表示である。
【０１１２】
また図１０−１および図１０−２において、「５秒」（「ＯＫ」）の位置１００１は、受信が成功したという受信結果を示すものであり、「５５秒」（「ＮＧ」）の位置１００２は、受信が失敗したという受信結果を示すものであることは、具体例３、具体例４と同様である。
【０１１３】
また図１０−１および図１０−２において、「３０秒」（「ＤＳＴ  ＯＦＦ」）の位置１００３は、サマータイム実施期間中ではないことを示し、「３５秒」（「ＤＳＴ  ＯＮ」）の位置１００４は、サマータイム実施期間中であることを示す。
【０１１４】
すなわち図１０−１において、「（１０時１０分）４０秒」を示していた秒針１０３（図中、秒針１０３を波線にて表示）が、操作ボタン１０５が押下されたことによって逆転し（図中点線の矢印で表示）、所定位置である「３０秒」の位置（第２の情報の表示位置）１００４で停止する。これが第２の情報の表示である。秒針１０３は、いずれの位置にあったとしても、かならず「３０秒」「３５秒」のいずれかの位置へ逆転で移動する。
【０１１５】
その後、図１０−２に示すように、第２の情報の表示位置（図中、秒針１０３を波線にて表示）で所定時間（たとえば約１０秒〜１５秒）停止した後、正転し（図中、点線の矢印で表示）、「５５秒」の位置まで移動して停止する。「５５秒」の位置（すなわち「ＮＧ」の位置）１００２であれば、この位置に停止することによって、前回の受信が失敗であったことを示す。さらに、操作ボタン１０５がさらに押下し続けられた場合には、秒針１０３は「０秒」（「ＲＥＣ」）の位置１００５へ移動し、強制受信の準備を開始する。
【０１１６】
これらが第１の情報の表示である。これによって、現在サマータイム実施期間中であるか否かが分かる。そして、第１の表示位置に秒針１０３が移動した後、操作ボタン１０５が操作されずに放置されると、秒針１０３は所定時間（たとえば１０秒）だけ第１の情報の表示位置において停止した後、時刻表示へ移行（オートリターン）する。
【０１１７】
このように、具体例５では、第２の情報として、サマータイム実施期間中であるか否かの情報と前回の標準電波の受信結果と一連の動作によって表示することができる。
【０１１８】
以上説明したように、本実施の形態では、指針３０１と、指針３０１を駆動する指針駆動部３０２と、指針駆動部３０２の動作を制御する制御部３０３と、所定の操作が可能な外部操作部材３０４と、を備え、指針３０１によって、第１の情報と、第１の情報とは異なる第２の情報と、を表示するにあたり、第１の情報と第２の情報とを連続して表示する第１の表示状態を有し、第１の表示状態で、外部操作部材３０４による所定の操作がおこなわれた場合に、第１の情報を表示する運針形態と第２の情報を表示する運針形態とが互いに異なるように、制御部３０３が指針駆動部３０２を制御するため、１度の操作で、内容の異なる第１の情報および第２の情報を連続で操作者に確認させることができる。
【０１１９】
特に、第２の情報を操作者が表示を希望する第１の情報を表示する前に表示することによって、一般的に操作者は、自らの操作によって表示を希望する第１の情報が表示されるまで、指針式表示装置を見ている蓋然性が高いことから、これによって、操作者に確実に第２の情報の内容を伝えることができる。
【０１２０】
また、第２の情報を表示せずに、第１の情報を表示する第２の表示状態を有し、第２の表示状態で、外部操作部材３０４による所定の操作がおこなわれた場合に、第１の情報を表示する運針形態で指針３０１を駆動するように、制御部３０３が指針駆動部３０２を制御し、制御部３０３が、外部操作部材３０４による所定の操作がおこなわれた場合に、所定の条件を満たしているか否かを判断するとともに、所定の条件を満たしている場合は、第２の表示状態となるように指針駆動部３０２を制御し、所定の条件を満たしていない場合は、第１の表示状態となるように前記指針駆動部３０２を制御するため、所定の条件を満たした場合にのみ第２の情報を表示でき、これにより、状況に応じて必要な情報のみを表示し、不要な情報は極力表示しないようにすることができる。
【０１２１】
なお、上記実施の形態においては、腕時計について説明したが、この電波修正時計には、腕時計、懐中時計、掛け時計、置き時計などのすべての種類の時計を含む指針式表示装置である。また、指針式表示機能を備えている、カメラ、デジタルカメラ、デジタルビデオカメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、さらには、家庭電化製品や自動車を含む電子機器であってもよい。
【産業上の利用可能性】
【０１２２】
以上のように、本発明は、指針式表示装置に有用であり、特に、アナログ腕時計を含む電波修正時計に適している。
【図面の簡単な説明】
【０１２３】
【図１】この発明の実施の形態にかかる指針式表示装置の一例である電波修正時計の外観を示す説明図である。
【図２】この発明の実施の形態にかかる指針式表示装置の一例である電波修正時計のハードウエア構成を示す説明図である。
【図３】この発明の実施の形態にかかる指針式表示装置の機能的構成を示す説明図である。
【図４】この発明の実施の形態にかかる指針式表示装置の動作の内容を示すフローチャートである。
【図５】第１および第２の情報の表示処理の手順の一例を示すフローチャートである。
【図６−１】この発明の実施の形態にかかる指針式表示装置の具体例１の内容を示す説明図（その１）である。
【図６−２】この発明の実施の形態にかかる指針式表示装置の具体例１の内容を示す説明図（その２）である。
【図７−１】この発明の実施の形態にかかる指針式表示装置の具体例２の内容を示す説明図（その１）である。
【図７−２】この発明の実施の形態にかかる指針式表示装置の具体例２の内容を示す説明図（その２）である。
【図８−１】この発明の実施の形態にかかる指針式表示装置の具体例３の内容を示す説明図（その１）である。
【図８−２】この発明の実施の形態にかかる指針式表示装置の具体例３の内容を示す説明図（その２）である。
【図９−１】この発明の実施の形態にかかる指針式表示装置の具体例４の内容を示す説明図（その１）である。
【図９−２】この発明の実施の形態にかかる指針式表示装置の具体例４の内容を示す説明図（その２）である。
【図１０−１】この発明の実施の形態にかかる指針式表示装置の具体例５の内容を示す説明図（その１）である。
【図１０−２】この発明の実施の形態にかかる指針式表示装置の具体例５の内容を示す説明図（その２）である。
【符号の説明】
【０１２４】
１００  指針式表示装置（電波修正時計）
１０１  分針
１０２  時針
１０３  秒針
１０５  操作ボタン
２００  マイコンＩＣ
２０１  ＲＡＭ
２０２  ＲＯＭ
２０３  モータ駆動回路
２０４（２０４ａ〜２０４ｄ）  モータ
２１４  二次電池
２１５  充電制御回路
３０１  指針
３０２  指針駆動部
３０３  制御部
３０４  外部操作部材
３０５  電源
３０６  電圧測定部
３０７  計時部
【図１】
0005215689.tif 000002
【図２】
0005215689.tif 000003
【図３】
0005215689.tif 000004
【図４】
0005215689.tif 000005
【図５】
0005215689.tif 000006
【図６−１】
0005215689.tif 000007
【図６−２】
0005215689.tif 000008
【図７−１】
0005215689.tif 000009
【図７−２】
0005215689.tif 000010
【図８−１】
0005215689.tif 000011
【図８−２】
0005215689.tif 000012
【図９−１】
0005215689.tif 000013
【図９−２】
0005215689.tif 000014
【図１０−１】
0005215689.tif 000015
【図１０−２】
0005215689.tif 000016